(57)【特許請求の範囲】
【請求項１】
少なくとも通常時よりも低い電力でデバイスの一部に通電させておく省電力モード制御を備えた省電力モード付デバイスを含む複数のデバイスを、単独或いは相互に選択し、かつ連携しあって複数種類の画像処理機能を実行する画像処理機能実行手段と、
前記複数のデバイス毎に、電力を供給又は遮断するように切り替える切替手段と、
前記画像処理機能毎に、予め定めた期間が経過しても画像処理機能の処理を指示する受け付けがない場合に、当該画像処理機能の実行に必要なデバイスへの電力供給を遮断し、前記画像処理機能の処理を指示する受け付けがあり、かつ前記画像処理機能の処理内容が判明した時点で、当該画像処理機能の実行に必要なデバイスへ電力を供給するように、前記切替手段を制御する切替制御手段と、
省電力モード付デバイスへ電力が供給されている状態で、前記受け付けた画像処理機能の処理内容に基づくデバイス選択において、前記省電力モード付デバイスが当該画像処理機能の処理に不要なデバイスの場合に、少なくとも省電力モード中を維持するべく、前記省電力モード付デバイスへの電力供給を継続する継続手段と、
を有する電力供給制御装置。
【請求項２】
前記受け付けた画像処理機能の処理が終了してから、一定期間、次の画像処理機能の処理の指示を受け付けない場合に、前記省電力モード付デバイスへの電力供給を遮断する電力遮断制御手段をさらに備える請求項１記載の電力供給制御装置。
【請求項３】
全てのデバイスを対象として、同時に電力供給状態から電力遮断状態への遷移のための切り替え操作を実行するための操作手段をさらに備える請求項１又は請求項２記載の電力供給制御装置。
【請求項４】
電力遮断状態から電力供給状態への遷移は必要なデバイス毎に実行し、電力供給状態から電力遮断状態への遷移は全デバイス同時に実行する請求項１〜請求項３の何れか１項記載の電力供給制御装置。
【請求項５】
前記請求項１〜請求項４の何れか１項記載の電力供給制御装置を有し、前記デバイスが、原稿画像を読み取る画像読取手段と、画像データに基づいて記録用紙へ画像を形成する画像形成手段と、外部と画像を送受信するファクシミリ通信手段と、情報受付かつ情報報知を兼ねたユーザーインターフェイスと、を備えている画像処理装置。
【請求項６】
コンピュータを、前記請求項１〜請求項４の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、節電モードからジョブを実行する際に必要となるモジュール（デバイス）のみに電源供給し、動作が不要となったタイミングで電源供給を停止制御する、所謂部分節電機能を搭載した画像形成装置が開示されている。
【０００３】
特許文献２には、プリンタモジュールの非動作中の所定期間の間、定着器を予熱しておき再度プリント指示があっても高速にプリント可能温度に立ち上げる低電力モード（予熱モード）を備えたプリンタが開示されている。
【０００４】
なお、低電力モードを用いた制御については、特許文献３、特許文献４等に記載されている。
【先行技術文献】
【特許文献】
【０００５】
【特許文献１】特開２００６−２３１５３２公報
【特許文献２】特開平６−５４１０２号公報
【特許文献３】特開平２−２８９８６３公報
【特許文献４】特開平６−１１０４８６公報
【発明の概要】
【発明が解決しようとする課題】
【０００６】
本発明は、本構成を有しない場合に比べて、デバイス毎に電力消費量を抑制し、かつ処理可能な状態への立ち上がり時間を短縮することができる電力供給制御装置、画像処理装置、電力供給制御プログラムを得ることが目的である。
【課題を解決するための手段】
【０００７】
請求項１に記載の発明は、少なくとも通常時よりも低い電力で一部の負荷へ通電させておく省電力モード制御を備えた省電力モード付デバイスを含む複数のデバイスを、単独或いは相互に選択し、かつ連携しあって複数種類の画像処理機能を実行する画像処理機能実行手段と、前記複数のデバイス毎に、電力を供給又は遮断するように切り替える切替手段と、前記画像処理機能毎に、予め定めた期間が経過しても画像処理機能の処理を指示する受け付けがない場合に、当該画像処理機能の実行に必要なデバイスへの電力供給を遮断し、前記画像処理機能の処理を指示する受け付けがあり、かつ前記画像処理機能の処理内容が判明した時点で、当該画像処理機能の実行に必要なデバイスへ電力を供給するように、前記切替手段を制御する切替制御手段と、省電力モード付デバイスへ電力が供給されている状態で、前記受け付けた画像処理機能の処理内容に基づくデバイス選択において、前記省電力モード付デバイスが当該画像処理機能の処理に不要なデバイスの場合に、少なくとも省電力モード中を維持するべく、前記省電力モード付デバイスへの電力供給を継続する継続手段と、を有している。
【０００８】
請求項２に記載の発明は、前記請求項1に記載の発明において、前記受け付けた画像処理機能の処理が終了してから、一定期間、次の画像処理機能の処理の指示を受け付けない場合に、前記省電力モード付デバイスへの電力供給を遮断する電力遮断制御手段をさらに備える。
【０００９】
請求項３に記載の発明は、前記請求項１又は請求項２記載の電力供給制御装置を有し、前記デバイスが、原稿画像を読み取る画像読取手段と、画像データに基づいて記録用紙へ画像を形成する画像形成手段と、外部と画像を送受信するファクシミリ通信手段と、情報受付かつ情報報知を兼ねたユーザーインターフェイスと、を備えている画像処理装置である。
【００１０】
請求項４に記載の発明は、コンピュータを、前記請求項１又は請求項２記載の電力供給制御装置として実行させる電力供給制御プログラムである。
【発明の効果】
【００１１】
請求項１、請求項３、請求項４記載の発明によれば、本構成を有しない場合に比べて、デバイス毎に電力消費量を抑制し、かつ処理可能な状態への立ち上がり時間を短縮することができる。
【００１２】
請求項２に記載の発明によれば、不必要な電力供給を回避することができる。
【図面の簡単な説明】
【００１３】
【図１】本実施の形態に係る画像処理装置の概略図である。
【図２】本実施の形態に係るメインコントローラと電源装置との概略構成図である。
【図３】本実施の形態に係るメインコントローラのＣＰＵにおいて、「部分節電」によるモード遷移と、画像形成部等のモード遷移との切替制御を両立して制御するための機能ブロックである。
【図４】本実施の形態に係るメインコントローラ並びに各デバイスのモード遷移の流れを示すフローチャートである。
【図５】本実施の形態に係るモードパターン遷移状態を示す図表である。
【発明を実施するための形態】
【００１４】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１５】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１６】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１７】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１８】
図２は、前記メインコントローラ２００によって制御されるデバイス、並びにメインコントローラ２００、並びに各デバイスへ電源を供給するための電源装置２０２の電源ラインを主体とした概略構成図である。
【００１９】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８、節電ボタン２１９が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２０】
なお、節電ボタン２１９は、所謂ハードスイッチ（物理的に操作するスイッチ）であり、押圧操作する毎に、装置に対して、節電、節電解除を交互に指示するようになっている。なお、この節電に関しては後述する。
【００２１】
本実施の形態のメインコントローラ２００は、接続されるデバイスに対して、待機モード、省電力モード、スリープモードの３種類のモードを指示するようになっている。待機モードは電力供給状態であり、スリープモードは電力遮断状態である。また、省電力モードは、ジョブの受付から実行開始までの時間を短縮するために電力を必要する場合がある一部のデバイスへ指示するモードである。
【００２２】
メインコントローラ２００では、３種類のモードの何れかを指示するが、省電力モードを持たないデバイスに関しては、省電力モードの指示に対してスリープモード又は待機モードへ移行する場合がある。
【００２３】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００２４】
デバイス選択Ｉ／Ｆ２３４は、ファクシミリ通信制御回路（モデム）２３６、画像読取部２３８、画像形成部２４０の各デバイスに接続されている。なお、ＵＩタッチパネル２１６は、デバイスとして認識される場合がある。
【００２５】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２６】
メインコントローラ２００及び各デバイス（ファクシミリ通信制御回路２３６、画像読取部２３８、画像形成部２４０）は、電源装置２０２から電源が供給される（図２の鎖線参照）。なお、図２では、電源線を１本の点線で示しているが、実際には２本〜３本の配線である。なお、図示は省略したが、ＵＩタッチパネル２１６は、メインコントローラ２００とは別に電源の供給を受けており、電源供給制御回路２５２から電力供給又は遮断の制御を受けるようになっている。
【００２７】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２８】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００２９】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００３０】
また、第２の電源部２５０は、高電圧電源生成部（主として、画像形成部２４０の定着部に用いられるヒータ電源用）２５０Ｈと低電圧電源生成部（ＬＶＰＳ）２５０Ｌを備えている。高電圧電源生成部２５０Ｈは主として画像形成部２４０の帯電部、現像部、転写部等で使用される電源である。
【００３１】
第２の電源部２５０の高電圧電源生成部２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００３２】
また、本実施の形態では、上記機能別の電源供給系統に加え、第２の電源部２５０の高電圧電源生成部２５０Ｈ及び低電圧電源生成部（ＬＶＰＳ）２５０Ｌは、画像形成部専用電源供給部２６７が接続されている。
【００３３】
画像形成部２４０では、定着部の温度管理において、画像形成処理を即実行可能な待機モードのときの温度よりも低いが、比較的に迅速に画像形成処理可能温度に立ち上げることが可能な温度を維持する場合がある（省電力モード）。
【００３４】
このため、節電中は、スリープモードとして、電力供給を遮断して消費電力を抑制するが、画像形成部２４０では、スリープモードになるまでの間に、一時的に省電力モード状態を維持し、その後、スリープモードへ遷移させるために前記画像形成部専用電源供給部２６７が設けられている。
【００３５】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３６】
画像形成機能電源供給部２６０は、高電圧電源生成部２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３７】
画像複写機能電源供給部２６２は、高電圧電源生成部２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３８】
ファクシミリ受信機能電源供給部２６４は、高電圧電源生成部２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３９】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００４０】
画像形成部専用電源供給部２６７は、高電圧電源生成部２５０Ｈと低電圧電源生成部（ＬＶＰＳ）２５０Ｌを入力源として、第７のサブ電源スイッチ２７７（以下、「ＳＷ−７」という場合がある。）を介して、画像形成部２４０に接続されている。
【００４１】
前記第２のサブ電源スイッチ２６８、第３のサブ電源スイッチ２７０、第４のサブ電源スイッチ２７２、第５のサブ電源スイッチ２７４、第６のサブ電源スイッチ２７６、第７のサブ電源スイッチ２７７は、それぞれ前記第１のサブ電源スイッチ２５６と同様に、メインコントローラ２００の電源供給制御回路２５２からの電源供給選択信号に基づいて、オン・オフ制御される。
【００４２】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００４３】
ここで、本実施の形態では、メインコントローラ２００において、電源供給制御回路２５２で、ＳＷ−１〜ＳＷ−７のスイッチのオン・オフを制御して、各処理機能に応じたデバイスを選択して、必要最小限のデバイスに電力を供給する（待機モード）と共に、不必要なデバイスに対しては電力供給を遮断（スリープモード）する、所謂「部分節電」を可能としている。
【００４４】
例えば、画像形成部２４０は、画像読取機能やファクシミリ送信機能（レポート出力を除く）では適用されないため、「部分節電」という観点からは、電力供給が遮断されるデバイスとなる。しかし、画像形成部２４０には、加熱媒体（ハロゲンランプやヒータ等）の温度制御が必要な定着部があり、電力の供給が遮断されると、全く温度制御ができない。このため、画像形成部２４０では、定着部の加熱媒体を待機モード時よりも低い、「ローパワー」状態で温度を維持するようにしている（省電力モード）。
【００４５】
図３は、メインコントローラ２００のＣＰＵ２０４において、「部分節電」による待機モード／スリープモードと、画像形成部２４０等の省電力モードとの切替制御を両立して、電源供給制御回路２５２を制御するための機能ブロックである。
【００４６】
図３に示される如く、メインコントローラモード選択部２４では、自身が各デバイスへ指示したモードを管理する（図５参照）。
【００４７】
メインコントローラモード選択部２４は、ジョブ受付部２６及び情報受付部２８に接続されている。メインコントローラモード選択部２４が、省電力モード又は待機モードの場合には、ジョブ受付部２６が起動し、スリープモードの場合は情報受付部２８が起動する。
【００４８】
ジョブ受付部２６は、ジョブ解析部３０、遷移制御部３２、タイマ回路部３４に接続されている。装置がジョブを受け付けると、ジョブ受付部２６は、ショブ解析部３０へ指示信号を出力する。ジョブ解析部３０では、ジョブ解析を実行する。
【００４９】
一方、ジョブ受付部２６は、ジョブの受け付けがあると、遷移制御部３２へ遷移変更信号を出力する。また、ジョブ受付部２６は、タイマ回路部３４によってタイマ管理されており、予め定められた時間（所定時間）、ジョブの受け付けが無い場合、遷移制御部３２へ遷移変更信号を出力する。
【００５０】
遷移制御部３２は、ジョブ受付部２６からの遷移変更信号を受け付けると、現在のモード状態に応じて、メインコントローラ選択部２４に対して、モード遷移を指示するようになっている。
【００５１】
例えば、省電力モードであり、ジョブの受け付けがあると、待機モードへの遷移を指示する。一方、現在のモードが待機モードであり、所定時間ジョブの受け付けが無い場合、省電力モードへの遷移を指示する。また、現在のモードが省電力モードであり、所定時間ジョブの受け付けが無い場合、スリープモードへの遷移を指示する。
【００５２】
なお、前述したが、メインコントローラモード選択部２４で認識しているモードが、必ずしも各デバイスに反映されるものではなく、省電力モードが存在しないデバイスに関しては、現在のモードに基づいて遷移するモードが異なる場合がある。
【００５３】
前記ジョブ解析部３０による解析の結果、当該ジョブを処理する機能として必要なデバイスが判明すると、この必要デバイス情報をジョブ実行可否判定部３６へ送出するようになっている。
【００５４】
ジョブ実行可否判定部３６は、モードパターン問い合わせ部３８に接続されている。モードパターン問い合わせ部３８では、ジョブ実行可否部３６からの問い合せに応じて、Ｉ／Ｏ２１０を介して各デバイスのモードの状態を問い合わせ、その回答をジョブ実行可否部３６へ返信する。
【００５５】
ジョブ実行可否判定部３６では、指示されたジョブの処理機能を実行するために必要なデバイスが待機モードであるか否かを判断するようになっている。
【００５６】
ジョブ実行可否判定部３６は、モード遷移指示部４０及びジョブ実行指示部４２に接続されている。
【００５７】
このため、ジョブ実行可否判定部３６の判定の結果が、必要なデバイスが待機モードではない場合には、モード遷移指示部４０に対して、待機モードへ遷移する指示し、必要なデバイスが待機モードの場合は、ジョブ実行指示部４２に対して、ジョブの実行を指示する。
【００５８】
前記情報受付部２８には、Ｉ／Ｏ２１０を介してリモートジョブの受信信号、節電ボタン２１９の操作信号が入力されるようになっている。リモートジョブの受信信号は、例えば、ネットワーク通信回線網２０（図１、図２参照）を介して情報処理端末（例えば、ＰＣ等）からプリント指示等を受信したときに受ける信号である。また、節電ボタン２１９の操作信号は、装置のＵＩタッチパネル２１６とは別に、ハード的に設けられた節電ボタン２１９が操作されたときに受ける信号である。なお、節電ボタン２１９は操作される毎に、節電へ移行、節電からの復帰となる。
【００５９】
情報受付部２８はＵＩ起動制御部４４に接続されている。ＵＩ起動制御部４４では、Ｉ／Ｏ２１０を介してＵＩ制御回路２１４を制御して、ＵＩタッチパネル２１６に電源を供給するがバックライトをオフした状態（低電力モード）、或いはＵＩタッチパネルをバックライトを含め完全復帰させる状態（待機モード）の何れかに遷移させる。
【００６０】
この選択は、情報受付部２８で受け付けた信号に依存する。すなわち、リモートジョブ受信信号ではバックライトオフ、節電ボタン２１９の操作信号ではバックライトオンとしている。
【００６１】
以下に、本実施の形態の作用を説明する。
【００６２】
図４は、メインコントローラ２００並びに各デバイスのモード遷移の流れを示すフローチャートである。
【００６３】
ステップ１００では、メインコントローラ２００における現在のモードを判別する。
（待機モード）
ステップ１００で現在のモードが待機モードであると判別されると、ステップ１０２へ移行する。ステップ１０２では、ジョブを受信したか否かが判断され、肯定判定されるとステップ１０４へ移行する。
【００６４】
（ジョブ実行）
ステップ１０４では、ジョブの解析が実行され、次いでステップ１０６へ移行して、ジョブの解析の結果、現在のデバイスモードパターンでＯＫか否かが判断される。このステップ１０６で、否定判定されると、デバイスモードパターンを変更するべく、ステップ１０８へ移行して、必要デバイスへ起動指示を出力し、ステップ１１０へ移行する。
【００６５】
ステップ１１０では、起動指示を受けたデバイスから、待機モードに遷移した回答があったか否かが判断され、肯定判定されると、ステップ１１２へ移行する。
【００６６】
また、ステップ１０６で肯定判定されるとステップ１１２へ移行する。
【００６７】
ステップ１１２では、処理実行指示を出力し、次いでステップ１１４へ移行して、デバイス毎のモードに基づいて、現在のデバイスモードパターンを認識して、ステップ１００へ戻る。
【００６８】
一方、前記ステップ１０２で否定判定された場合は、ステップ１１６へ移行して所定時間経過したか否かが判断され、否定判定された場合はステップ１０２へ戻り、上記工程を繰り返す。また、ステップ１１６で肯定判定されると、ステップ１１８へ移行して、メインコントローラ２００を「省電力モード」へ遷移し、次いでステップ１２０でこのメインコントローラ２００の遷移を各デバイスに通知して、ステップ１２２へ移行する。
【００６９】
ステップ１２２では、デバイス毎のモードに基づき、現在のデバイスモードパターンを認識して、ステップ１００へ戻る。
（省電力モード）
次に、ステップ１００で省電力モードと判別されると、ステップ１２４へ移行して、ジョブを受信したか否かが判断され、肯定判定された場合は、ステップ１２６へ移行する。
【００７０】
ステップ１２６では、メインコントローラ２００を「待機モード」へ遷移し、次のステップ１２８で、このシステムの遷移先を各デバイスに通知して、ステップ１０４へ移行する。ステップ１０４以降（ジョブ実行）は前述したので、ここでの説明は省略する。
【００７１】
また、前記ステップ１２４で否定判定されると、ステップ１３０へ移行して、所定時間経過したか否かが判断される。ステップ１３０で否定判定された場合は、ステップ１２４へ戻り、ステップ１３０で肯定判定された場合はステップ１３２へ移行する。
【００７２】
ステップ１３２では、メインコントローラ２００を「スリープモード」へ遷移し、次いでステップ１３４で、このメインコントローラ２００の遷移先を各デバイスへ通知して、ステップ１３６へ移行する。ステップ１３６では、デバイス毎のモードに基づき、現在のデバイスモードパターンを認識して、ステップ１００へ戻る。
（スリープモード）
次に、ステップ１００でスリープモードと判別されると、ステップ１３８へ移行して、起動を促す情報を受け付けたか否かが判断され、肯定判定されるとステップ１４０へ移行する。ステップ１４０では、受け付けた情報が、リモートジョブの受信か、或いは節電ボタンの操作かが判断される。このステップ１４０でリモートジョブを受信したと判断されると、ステップ１４２へ移行して、ＵＩタッチパネル２１６を「低電力モード」（バックライトオフ）へ遷移し、ステップ１２６へ移行する。
【００７３】
ステップ１２６では、メインコントローラ２００を「待機モード」へ遷移し、次のステップ１２８で、このシステムの遷移先を各デバイスに通知して、ステップ１０４へ移行する。ステップ１０４以降（ジョブ実行）は前述したので、ここでの説明は省略する。
【００７４】
また、前記ステップ１４０で節電ボタンが操作されたと判断されると、ステップ１４４へ移行して、ＵＩタッチパネル２１６を「待機モード」（バックライトオン）へ遷移し、ステップ１４６へ移行する。
【００７５】
ステップ１４６では、ＵＩタッチパネル２１６から機能選択操作があったか否か判断され、肯定判定されると、ステップ１２６へ移行する。
【００７６】
ステップ１２６では、メインコントローラ２００を「待機モード」へ遷移し、次のステップ１２８で、このシステムの遷移先を各デバイスに通知して、ステップ１０４へ移行する。ステップ１０４以降（ジョブ実行）は前述したので、ここでの説明は省略する。
【００７７】
一方、ステップ１４６で否定判定されると、ステップ１４８へ移行して、所定時間経過したか否かが判断される。このステップ１４８で否定判定されるとステップ１４６へ移行する。また、ステップ１４８で肯定判定されると、ＵＩタッチパネル２１６を待機モードにしたが、その後の機能を選択する操作がないと判断し、ステップ１５０へ移行して、再び、ＵＩタッチパネル２１６を「スリープモード」へ遷移して、ステップ１００へ戻る。
【００７８】
図５は、モードパターンの遷移状態を示す図表であり、ジョブが実行されず節電状態となっている場合、状態Ｎｏ．１又はＮｏ．２の状態となる。この違いは、画像形成部２４０が省電力モードか否かである。例えば、［リモートユーザー］により、蓄積プリントの指示があった場合、画像形成部２４０は不要なデバイスであるため、スリープモードへ遷移してもよいが、本実施の形態では、現在の状態が、Ｎｏ．１の場合は、Ｎｏ．４のように、画像形成部２４０はスリープモードとし、現在の状態が、Ｎｏ．２の場合は、Ｎｏ．５のように、画像形成部２４０は省電力モードを維持する。
【００７９】
メインコントローラ２００が待機モードとなり、ジョブを実行する場合、遷移元の画像形成部２４０のモードの状態を維持することで、次のジョブに画像形成部が必要であるときに、定着部の温度を迅速に処理可能な温度に立ち上げることになり、部分節電による電力消費の軽減を維持しつつ、かつ、画像形成部２４０等、必要最小限の部位に電力を供給することで、ジョブ実行の利便性が維持される。
【００８０】
なお、本実施の形態では、メインコントローラ２００のモードが省電力モードのとき、ＵＩタッチパネル２１６に電力を供給するように制御したが、省電力モード時にＵＩタッチパネル２１６への電力をオフするようにしてもよい。この場合、前述した図４のフローチャートにおいて、ステップ１３０の否定判定でステップ１３８へ移行し、このステップ１３８の否定判定で、ステップ１００へ戻るようにすれば、メインコントローラ２００が省電力モード時に、スリープ状態のＵＩタッチパネル２１６の制御が可能となる。
【００８１】
また、本実施の形態では、図２に示されるように、各処理機能（サービス）毎に電源供給先を分類した電源制御系のブロック図としたが、これに限定されるものではない。例えば、電源の供給又は遮断を、各デバイス（ファクシミリ通信制御回路２３６、画像読取部２３８、画像形成部２４０、並びにＵＩタッチパネル２１６）毎に設けたスイッチ素子を直接制御して、電源の供給／遮断を行うようにしてもよい。
【００８２】
さらに、本実施の形態では、メインコントローラ２００で３つモードを認識し、各デバイスへ指示を出すようにした。このため、画像形成部２４０では、そのモード指示に従い、処理機能の実行に不要なときでも、省電力モードが維持される。しかし、メインコントローラ２００が２つのモード（待機、スリープ）しか指示を出さない場合、スリープの指示を受けた画像形成装置２４０がメインコントローラ２００の指示とは異なり、独自に電力供給を維持するようにしてもよい。
【符号の説明】
【００８３】
２０    ネットワーク通信回線網
２２    電話回線網
２４    メインコントローラモード選択部
２６    ジョブ受付部
２８    情報受付部
３０    ジョブ解析部
３２    遷移制御部
３４    タイマ回路部
３６    ジョブ実行可否判定部
３８    モードパターン問い合わせ部
４０    モード遷移指示部
４２    ジョブ実行指示部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２１９    節電ボタン
２２０    タイマ回路
２２２    通信回線Ｉ／Ｆ
２３４    デバイス選択Ｉ／Ｆ
２３６    ファクシミリ通信制御回路
２３８    画像読取部
２４０    画像形成部
２４２    商用電源
２４４    入力電源線
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６７    画像形成部専用電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
２７７    第７のサブ電源スイッチ（「ＳＷ−７」）
【図１】
0005454274.tif 000002
【図２】
0005454274.tif 000003
【図３】
0005454274.tif 000004
【図４】
0005454274.tif 000005
【図５】
0005454274.tif 000006